(57)【要約】【課題】  遊技部品の着脱容易なパチンコ機の遊技盤を提供する。【解決手段】  盤本体１５の一端面（右側端面３１）から盤本体の中央側に延長するとともに盤本体の前後に貫通する切欠孔２６と、盤本体の一端面から切欠孔に挿入されて取付けられた遊技部品（センタ部品２２）とを備え、遊技部品が盤本体の切欠孔の周囲を前後方向で挟む挟持部を備えた。挟持部は、例えば、遊技部品の外周における前後方向の中央部において外周に沿う方向に形成された凹部３９により形成され、凹部３９が遊技部品の外周における一側部（左側面３６）又は上部（上面３７）又は下部（下面３８）の少なくとも一つに形成される。【選択図】        図１
2005224469.tif 000002
【特許請求の範囲】
【請求項１】
盤本体の一端面から盤本体の中央側に延長するとともに盤本体の前後に貫通する切欠孔と、盤本体の一端面から切欠孔に挿入されて取付けられた遊技部品とを備え、遊技部品が盤本体の切欠孔の周囲を前後方向で挟む挟持部を備えたことを特徴とするパチンコ機の遊技盤。
【請求項２】
挟持部が、遊技部品の外周における前後方向の中央部において外周に沿う方向に形成された凹部により形成され、凹部が遊技部品の外周における一側部又は上部又は下部の少なくとも一つに形成されたことを特徴とする請求項１に記載のパチンコ機の遊技盤。
【請求項３】
挟持部が、遊技部品における盤本体の前面と対向する対向面と遊技部品の外周より突出して対向面の一部に盤本体の前後幅に相当する間隔を隔てて対向する対向部材とにより形成されたことを特徴とする請求項１に記載のパチンコ機の遊技盤。
【請求項４】
対向部材が、遊技部品の外周に着脱自在に取付けられたことを特徴とする請求項３に記載のパチンコ機の遊技盤。
【請求項５】
遊技部品が切欠孔に挿入されて遊技部品の一側部が切欠孔の終端面に突き当てられ、当該遊技部品と切欠孔の開放端部との間における切欠孔を塞ぐ遊技部品移動規制部材が盤本体に取付けられて、遊技部品移動規制部材が切欠孔の開放端部方向への遊技部品の移動を規制したことを特徴とする請求項１ないし請求項４のいずれかに記載のパチンコ機の遊技盤。
【発明の詳細な説明】
【技術分野】
【０００１】
本発明は遊技部品の着脱容易なパチンコ機の遊技盤に関する。
【背景技術】
【０００２】
パチンコ機の遊技盤として、盤本体の前面に、ガイドレール、障害釘や遊技釘と呼ばれる釘、風車、センタ部品、始動入賞部品、可変入賞部品、一般入賞部品、サイド飾り、アウト口部品等の様々な遊技部品が取付けられたものが知られている。センタ部品、始動入賞部品、可変入賞部品、一般入賞部品などのフランジ付き遊技部品は、盤本体の前後に貫通して形成された逃げ穴内に盤本体の前面側からフランジ付き遊技部品の裏部を挿入し、フランジで盤本体の前面における逃げ孔の周囲を覆った状態でフランジを盤本体の前面に止めねじで締結して取付ける。この盤本体に対するフランジ付き遊技部品の着脱作業は、盤本体の前側から止めねじの着脱作業を行なわなくてはならず、煩雑である。
【特許文献１】特開平７−１１６３０３号公報
【発明の開示】
【発明が解決しようとする課題】
【０００３】
発明が解決しようとする問題点は、盤本体に対するフランジ付き遊技部品の止めねじを用いた着脱作業は煩わしいという点である。
【課題を解決するための手段】
【０００４】
本発明に係るパチンコ機の遊技盤は、盤本体の一端面から盤本体の中央側に延長するとともに盤本体の前後に貫通する切欠孔と、盤本体の一端面から切欠孔に挿入されて取付けられた遊技部品とを備え、遊技部品が盤本体の切欠孔の周囲を前後方向で挟む挟持部を備えたことを最も特徴とする。挟持部が、遊技部品の外周における前後方向の中央部において外周に沿う方向に形成された凹部により形成され、凹部が遊技部品の外周における一側部又は上部又は下部の少なくとも一つに形成されたことや、挟持部が、遊技部品における盤本体の前面と対向する対向面と遊技部品の外周より突出して対向面の一部に盤本体の前後幅に相当する間隔を隔てて対向する対向部材とにより形成されたことや、対向部材が、遊技部品の外周に着脱自在に取付けられたことや、遊技部品が切欠孔に挿入されて遊技部品の一側部が切欠孔の終端面に突き当てられ、当該遊技部品と切欠孔の開放端部との間における切欠孔を塞ぐ遊技部品移動規制部材が盤本体に取付けられて、遊技部品移動規制部材が切欠孔の開放端部方向への遊技部品の移動を規制したことも特徴とする。
【発明の効果】
【０００５】
本発明に係るパチンコ機の遊技盤によれば、止めねじを用いることなく、遊技部品を盤本体の切欠孔に挿入して挟持部で盤本体の切欠孔の周囲を前後方向で挟むことにより遊技部品を盤本体に容易に着脱でき、遊技部品の着脱作業が容易となる。遊技部品に挟持部としての凹部を設けたことで、遊技部品を凹部を介して盤本体の切欠孔に挿入するだけでセンタ部品を盤本体に容易に着脱でき、着脱作業が容易となる。挟持部を、遊技部品における盤本体の前面と対向する対向面と遊技部品の外周より突出して対向面の一部に盤本体の前後幅に相当する間隔を隔てて対向する対向部材とにより形成したので、遊技部品を切欠孔の中央側にスライドさせる際に、摩擦面が少なくなり、スライドさせやすくなり、センタ部品の着脱を容易にできる。対向部材を遊技部品の外周に着脱自在な対向部材を設けたことで、盤本体の前側から遊技部品を取付けることも可能となる。遊技部品移動規制部材を備えるので、遊技部品移動規制部材がサイド飾りとしても機能し、かつ、切欠孔を塞ぐとともに切欠孔の開放端部方向への遊技部品の移動を規制するので、遊技部品を切欠孔の所定の位置に容易に着脱できる。
【発明を実施するための最良の形態】
【０００６】
図１−図５は第１実施形態である。図１は第１実施形態の遊技盤を分解して示し、図２は遊技盤の前面を示し、図３は図２のＡ−Ａ断面を示し、図４は図２のＢ−Ｂ断面を示し、図５は遊技機を前面側から見た図を示す。
【０００７】
図５を参照し、パチンコ機の全体構成を説明する。パチンコ機の遊技機枠１は、パチンコ店の図外の遊技機設置構造体に取付けるための外枠と呼ばれるような固定枠２を備える。固定枠２は前後方向に開放された縦長な長方形の空間を囲む額縁形状である。固定枠２には、前枠または中枠と呼ばれるような遊技機枠本体としての可動枠３が左側の上下のヒンジ４；４で前側横方向に片開き可能に設けられる。可動枠３は固定枠２に対しヒンジ４で着脱可能（交換可能）に取付けられる。可動枠３は前後方向に開放された縦長な長方形の開口を囲む額縁形状である。可動枠３の開口には、開閉枠としてのパネル枠５及び上皿構造体６が左側のヒンジ７；８；９で前側横方向に片開き可能に取付けられる。
パネル枠５は前後方向に開放された開口を囲む額縁形状である。パネル枠５には、ガラスまたは合成樹脂からなる光透過性を有する透過性パネル１０がパネル枠５の開口を開口の裏側から覆う格好で取付けられる。可動枠３の前面には、下皿構造体１１及び発射操作機構１２が上皿構造体６よりも下部に位置して取付けられる。尚、上皿構造体６と下皿構造体１１とを１つの皿構造体に形成し、この皿構造体が可動枠３に対して片開き可能に取付けられた構成としてもよい。
【０００８】
可動枠３の開口の周囲の後方には遊技盤収納部１３を備え、遊技部品の取付けられた遊技盤１４が遊技盤収納部１３に格納される。遊技盤収納部１３に格納された遊技盤１４の盤本体１５の前面１６は透過性パネル１０を通して視認可能である。遊技盤１４の盤本体１５の前面１６と透過性パネル１０との間には、図外の発射機構から発射された球（パチンコ球）Ｐの飛び交う遊技領域１７が、ガイドレール１８及び遊技部品移動規制部材１９で囲まれた内側の領域として形成される。遊技領域１７における盤本体１５の前面１６には、障害釘や遊技釘と呼ばれる釘２０、風車２１、ガイドレール１８、センタ部品２２、遊技部品移動規制部材１９、始動入賞部品２３、可変入賞部品２４、一般入賞部品２５等の遊技部品が取付けられる。
【０００９】
遊技盤１４は、ベニヤ合板あるいは合成樹脂板等から形成された盤本体１５に遊技部品及び遊技部品移動規制部材１９が取付けられてなるものである。遊技部品としてのセンタ部品２２は盤本体１５に形成された後述する切欠孔２６に挿入されて盤本体１５に取付けられる。サイド飾り（遊技領域区画飾り）としても機能する遊技部品移動規制部材１９は盤本体１５の右側端部２７（図１参照）に取付けられる。始動入賞部品２３、可変入賞部品２４、一般入賞部品２５等の入賞部品は、入賞部品の裏部が盤本体１５の前後に貫通して形成された逃げ孔２８（図１参照）内に盤本体１５の前側から挿入されて、入賞部品のフランジ（鍔）２９が盤本体１５の前面１６に止めねじ３０で締結されることで、盤本体１５の前面１６に取付けられる（図２参照）。そして盤本体１５の裏面にセット板または集合樋と呼ばれる球樋、図柄表示器、制御装置等の図外の裏部品が取付けられる。
【００１０】
図１を参照し、第１実施形態の遊技盤１４を詳細に説明する。遊技盤１４の盤本体１５には、盤本体１５の一端面（遊技機枠１の遊技盤収納部１３に格納されて遊技者側から見た場合の右側端面３１）から盤本体１５の中央側に延長するとともに盤本体１５の前後に貫通する切欠孔２６が形成される。遊技部品としてのセンタ部品２２は、前後に貫通する貫通孔３２を備えた筒状本体３３と、貫通孔３２の後端開口３４を塞ぐ透過性パネル３５とで形成される。センタ部品２２の筒状本体３３の三方の外周面、即ち、切欠孔２６へのセンタ部品２２の挿入側である筒状本体３３の外周における一側部としての左側面３６と筒状本体３３の外周における上部としての上面３７及び下部としての下面３８には、筒状本体の外周に沿う方向に延長する挟持部としての凹部３９が形成される。この凹部３９の前後幅は盤本体１５の前後幅とほぼ等しい。筒状本体３３の前部には、凹部３９の前側における貫通孔３２周りの上部と上部側の左側部と右側部とが前後方向に幅広に形成された傘部４０と、凹部３９の前側における貫通孔３２周りの傘部４０及び筒状本体３３の凹部３９の形成されていない右側の外周面（右側面４２）以外の部位が前後方向に幅狭に形成されたフランジ４１とを備える。筒状本体３３の右側面４２には、フランジ４１より後部の位置から横に突出する遮蔽板４３が設けられる。
【００１１】
従って、盤本体の右側端面３１における切欠孔２６の開放端部４４ａからセンタ部品２２の上下の凹部３９内に切欠孔２６の上下に位置する盤本体１５の切欠孔２６の周囲４４を挿入して切欠孔２６の周囲４４を凹部３９で挟みながらセンタ部品２２を盤本体１５の中央側にスライドさせ、センタ部品２２の左側面３６に形成された凹部３９内に切欠孔２６の終端面４５に位置する盤本体１５の切欠孔２６の周囲４４を入り込ませてセンタ部品２２の左側面３６に形成された凹部３９の底面を切欠孔２６の終端面４５に突き当てる。即ち、センタ部品２２の外周の左側面３６と上下面３７，３８に形成された凹部３９が盤本体１５の切欠孔２６の周囲４４を挟み込むことで、センタ部品２２が盤本体１５の切欠孔２６の周囲４４に取付けられる。以上により、止めねじを用いずにセンタ部品２２を挟持部としての凹部３９を介して盤本体１５の切欠孔２６に挿入するだけでセンタ部品２２を盤本体１５に容易に着脱でき、着脱作業が容易となる。このように、盤本体１５にセンタ部品２２が取付けられた状態においては、センタ部品２２の右側面４２と盤本体１５の右側端面３１との間に切欠孔２６が残り、盤本体１５の前面１６側から切欠孔２６を通して遊技者に盤本体１５の後方が見えてしまうとともにセンタ部品２２が切欠孔２６の開放端部４４ａ側に移動する可能性がある。そこで、盤本体１５の右側端部２７に取付けられる遊技部品移動規制部材１９で当該切欠孔２６を塞ぐとともに切欠孔２６の周囲４４に取付けられたセンタ部品２２の切欠孔２６の開放端部４４ａ方向への移動を規制する。
【００１２】
遊技部品移動規制部材１９は、盤本体１５の右側端面３１と対向して盤本体１５の右側端面３１を覆う平板よりなる側板４６と側板４６の前後縁より側板４６の面とほぼ９０度の角度を隔てて同一方向に延長して対向する平板よりなる前板４７及び後板４８とで形成され、これら前板４７、側板４６、後板４８とで形成された三方開放の凹部５０を備える。凹部５０の前後幅寸法は盤本体１５の前後幅寸法とほぼ等しい。前板４７及び後板４８は、その開放端左側部５１；５１が湾曲形状に形成される。前板４７の開放端左側部５１は盤本体１５の前面１６に取付けられたガイドレール１８とともに遊技領域１７を区画する湾曲形状に形成される。従って、前板４７の前後幅寸法は盤本体１５の前面１６に取付けられたガイドレール１８の高さ（前後幅）寸法とほぼ等しい寸法に設定される。後板４８の開放端左側部５１も前板４７の開放端左側部５１に対応する湾曲形状に形成される。後板４８の前後幅寸法は前板４７の前後幅寸法と同じか薄い。後板４８の前後幅寸法を前板４７の前後幅寸法より薄くすれば、遊技盤収納部１３に収納される遊技盤１４の右側端部２７側の前後幅の厚さを薄くでき、遊技盤収納部１３に収納された遊技盤１４の後側のスペースを広くできて好ましい。前板４７の開放端左側部５１の上下の中央には前板４７の後部側より横に突出する覆板５２が設けられる。前板４７の開放端左側部５１の上部には、盤本体１５の前面１６に取付けられたガイドレール１８を構成する外ガイドレール５３の端部５４を保持する保持部５５が形成される。前板４７の開放端左側部５１の下部には、盤本体１５の前面１６に取付けられたガイドレール１８を構成する内ガイドレール５６の端部５７を保持する保持部５８が形成される。保持部５５；５８内に内；外ガイドレール５３；５６の端部５４；５７が挿入されて保持され、内；外ガイドレール５３；５６の端部５４；５７の動きを阻止する。保持部５５；５８は、水平なガイド部５５ａ；５８ａを有しており、このガイド部５５ａ；５８ａにより、遊技部品移動規制部材１９を盤本体１５の右側端部２７の真横から取付けた場合に、内；外ガイドレール５３；５６の端部５４；５７が保持部５５；５８内にスムーズに導かれる。前板４７の開放端左側部５１の上側に設けられた保持部５５の下方には開放端左側部５１から窪む凹部５９が形成される。この凹部５９にゴムや合成樹脂等で形成された偶反発体６０が挿入され、偶反発体６０の一部が開放端左側部５１より突出する状態に偶反発体６０が取付けられる。前板４７の裏面における上部及び下部には後部に突出する係合突起６１；６２が設けられ、盤本体１５の右側端部２７の前面１６の上部及び下部には上記係合突起６１；６２が嵌まり込む凹部６３；６４が設けられる。従って、遊技部品移動規制部材１９の凹部５０内に盤本体１５の右側端部２７が嵌まり込み、前板４７の係合突起６１；６２が凹部６３；６４に嵌まり込むことで、遊技部品移動規制部材１９が盤本体１５の右側端部２７に取付けられる。これにより、前板４７に設けられた覆板５２が、センタ部品２２の右側面４２より突出する遮蔽板４３の前面を覆うとともにセンタ部品２２の前面側の右側面４２に当たって切欠孔２６の開放端部４４ａ方向へのセンタ部品２２の移動を規制する。よって、前板４７に設けられた覆板５２の先端とセンタ部品２２の右側面４２との間に隙間を生じたとしても遮蔽板４３により盤本体１５の後部が遊技者側から見えないように塞がれる。また、センタ部品２２が切欠孔２６の開放端部４４ａ方向へ移動しようとしてもセンタ部品２２の右側面４２が覆板５２の先端に当たってセンタ部品２２の切欠孔２６の開放端部４４ａ方向への移動が規制されるので、センタ部品２２が切欠孔２６の所定の位置に保持される。よって、センタ部品２２を切欠孔２６の開放端部４４ａから挿入して盤本体１５に取付け、遊技部品移動規制部材１９を盤本体１５の右側端部２７に取付けることにより、止めねじを用いずに、センタ部品２２を切欠孔２６の所定の位置に容易に着脱できる。
【００１３】
センタ部品２２及び遊技部品移動規制部材１９が盤本体１５に取付けられた状態において、センタ部品２２のフランジ４１の前面４１ａと遊技部品移動規制部材１９の覆板５２の前面５２ａとは同一平面上に位置する。前面４１ａ及び前面５２ａと透過性パネル１０との間の寸法は球Ｐの直径の寸法より大きい寸法に形成され、覆板５２の前面５２ａの遊技領域１７を球Ｐが流下可能となっている（図４参照）。盤本体１５より突出するセンタ部品２２の傘部４０の前後幅の厚さは球Ｐの直径の寸法より大きい寸法に形成される。また、傘部４０と透過性パネル１０との間の寸法は球Ｐの直径の寸法より小さい寸法に形成される。従って、傘部４０の上部に流下する球Ｐは傘部４０の左右に振り分けられて遊技領域１７を流下する。また、盤本体１５の前面１６より前方に突出するセンタ部品２２のフランジ４１の前後幅の厚さは、球Ｐの半径の寸法より小さい寸法に形成される。センタ部品２２のフランジ４１の周端部４１ｂは盤本体１５の前面１６とのなす角度が９０度より小さい鋭角に形成されている（図３参照）。従って、フランジ４１と盤本体１５との間の段差が少ないので、遊技領域１７を流下する球がフランジ４１の前面４１ａ上を通過してセンタ部品２２の貫通孔３２内に入りやすい。
【００１４】
さらに、盤本体１５の前面１６に始動入賞部品２３、可変入賞部品２４、一般入賞部品２５が取付けられ、盤本体１５の裏面に図外のセット板または集合樋と呼ばれる球樋、図柄表示器、制御装置等の裏部品が取付けられる。図示しないが、図柄表示器は、センタ部品２２の透過性パネル３５の裏面に表示面を対向させた状態に上記球樋に取付けられる。
【００１５】
始動入賞部品２３の真上に位置するセンタ部品２２の貫通孔３２の内下面６５には、球を始動入賞部品２３に入賞させやすくするための案内路６６が形成されている。この案内路６６は、球Ｐの一部が入り込む溝が貫通孔３２の奥側から前端側に延長して形成されてなる。また、センタ部品２２の傘部４０の左側面６７に形成された球入口６８とセンタ部品２２の貫通孔３２の左内面６９の下方に形成された球出口７０とがセンタ部品の貫通孔の左内面６９の内側に形成された球通路７１で繋がれてワープ路７２が形成される。
【００１６】
外ガイドレール５３と内ガイドレール５６とで、遊技領域１７の左側に連接する発射通路７３を形成する。球戻り防止弁７４が発射通路７３の出口を塞ぐように、球戻り防止弁７４の基端部７５が内レールに取付けられることによって、球戻り防止弁７４は、発射通路７３から球戻り防止弁７４を押し開けて遊技領域１７に発射された球Ｐが遊技領域１７から発射通路７３に戻るのを防止する。遊技領域１７に入った球がいずれの入賞部品にも入賞しなかった場合はアウト口７６から盤本体１５の裏側の図外の排出樋に排出される。遊技領域１７に入った球が、ワープ路７２を経由して、あるいは、センタ部品２２の前面の横からセンタ部品２２の貫通孔３２内に入り、貫通孔３２内に入った球Ｐが案内路６６内に入って導かれて流下すると、球Ｐの始動入賞部品２３への入賞確率が上がる。
【００１７】
遊技機は、図外の制御装置が電力供給を受けて起動し、球Ｐが上皿構造体６の上皿１００に入れられた状態において、遊技者が発射操作機構１２を操作すると、発射操作機構１２が操作量に相当する電気信号としての例えば可変抵抗値を図外の発射払出制御装置に出力する。発射払出制御装置は、図外の発射機構を、可変抵抗値に応じた発射出力と例えば１分間に１００発未満の間隔とで駆動する。これによって、発射機構が上皿１００から供給された球Ｐを遊技領域１７に向けて１個ずつ発射されて遊技が行なわれる。そして、制御装置が、球Ｐの始動入賞部品２３への入賞により、当たり外れ抽選を行ない、その抽選結果により図外の図柄表示器に当たり外れ図柄を変動表示及び停止表示し、当たり図柄で停止表示したならば、可変入賞部品２４の開閉体１０１を開閉する。つまり、可変入賞部品２４の開閉体１０１を所定回数または所定時間開閉する当たり遊技と呼ばれる一連の遊技が行なわれる。遊技領域１７に発射された球が開閉体１０１の開放中に可変入賞部品２４に入賞すると、制御装置が可変入賞検出信号に基づく賞球払出信号を図外の球払出制御部に出力し、球払出制御部は球払出機構を制御し、入賞に対応する数の賞球としての球Ｐを上皿１００に払い出す。
【００１８】
図６；図７は第２実施形態を示す。第１実施形態のように盤本体１５の切欠孔２６の周囲をセンタ部品２２に形成されたくびれのような凹部３９で挟持する構造ではなく、図６に示すように、センタ部品２２の筒状本体３３が盤本体１５の切欠孔２６の上部前面周囲に係止する傘部４０を上部に有しフランジ４１を下部に有するとともにこれら傘部４０及びフランジ４１の後方の外周の上下間の寸法が切欠孔２６の上下間の寸法に形成され、盤本体１５の前面１６と対向する対向面である傘部４０及びフランジ４１の後面８０の一部と対向する対向部材としての対向棒８１を盤本体１５の前後方向の幅に相当する間隔を隔てて傘部４０及びフランジ４１の後方の外周より突出させて設ける。この構成によれば、センタ部品２２を切欠孔２６の中央側にスライドさせる際に、摩擦面が少なくなり、スライドさせやすくなり、センタ部品２２の着脱を容易にできる。
【００１９】
図８は第３実施形態を示す。図８に示すように、上記対向部材としての対向棒８１を傘部４０及びフランジ４１の後方の外周に形成した嵌合凹部７７に対して着脱自在の構成とする。これによれば、第２実施形態と同様の効果が得られるとともに、筒状本体３３と対向棒８１とを別々に成形できるので、筒状本体３３の成形が容易となる。また、この構成によれば、盤本体１５の前側からセンタ部品２２を取付けることも可能となり、この場合、盤本体１５の一端部に延長する切欠孔２６でなく、従来と同様の逃げ孔に対してセンタ部品２２を取付けることができるようになる。従って、盤本体１５の端部前面の処理が不要となり、従来と同様のガイドレール１８及びサイド飾りを用いることも可能となる。
【００２０】
図９は第４実施形態を示す。第１実施形態のようなセンタ部品２２の右側面４２より突出する遮蔽板４３を設けることなく、遊技部品移動規制部材１９の前板４７に設けられた覆板５２の先端をセンタ部品２２の右側面４２に突き当てる構成としてもよい。
【００２１】
図１０は第５実施形態を示す。第１実施形態では盤本体１５の切欠孔２６の開放端部４４ａから終端面４５までの上下間の間隔を等しくしたが、図１０のａ図に示すように切欠孔２６の開放端部４４ａの上下間の間隔を終端面４５側での上下間の間隔より広くし、上下間の間隔が開放端部４４ａから終端面４５にかけて徐々に狭く形成された切欠孔２６としてもよい。また、図１０のｂ図に示すように、切欠孔２６の終端面４５側が例えば湾曲形状に形成されたものでもよい。即ち、センタ部品２２の傘部４０及びフランジ４１で切欠孔２６を塞げるようにセンタ部品２２を形成すれば、盤本体１５の切欠孔２６の形状は特に問わない。
【産業上の利用可能性】
【００２２】
本発明はセンタ部品２２以外の遊技部品を盤本体１５に形成した切欠孔２６に取付けてもよい。また、切欠孔２６は盤本体１５の右側端面３１でなく盤本体１５の他の端面のうちの一から延長するものであればよい。例えば、可変入賞部品２４を取付対象とする場合は、盤本体１５の下端面に延長する切欠孔２６を形成して、この切欠孔２６の下側の開放端部から可変入賞部品２４を切欠孔２６に挿入して取付けてもよい。また、遊技部品としてのセンタ部品２２の外周における前後方向の中央部において外周に沿う方向に形成された凹部３９をセンタ部品２２の筒状本体３３の左側面３６、上面３７、下面３８に形成したが、当該凹部３９を遊技部品の一側部又は上部又は下部のいずれかにだけ形成してもよい。
【図面の簡単な説明】
【００２３】
【図１】本発明の第１実施形態の遊技盤の分解斜視図。
【図２】第１実施形態の遊技盤の前面図。
【図３】図２のＡ−Ａ断面図。
【図４】図２のＢ−Ｂ断面図。
【図５】第１実施形態の遊技盤を搭載した遊技機を前側から見た斜視図。
【図６】本発明の第２実施形態の遊技盤に取付けられるセンタ部品の背面斜視図。
【図７】図６のＣ−Ｃ断面図。
【図８】本発明の第３実施形態の遊技盤を示す図であり、図２のＡ−Ａ断面に相当する断面図。
【図９】本発明の第４実施形態の遊技盤を示す図であり、図２のＢ−Ｂ断面に相当する断面図。
【図１０】本発明の第５実施形態の遊技盤の切欠部の形態を示す図。
【符号の説明】
【００２４】
１  遊技機枠、１４  遊技盤、１５  盤本体、１９  遊技部品移動規制部材、
２２  センタ部品（遊技部品）、２６  切欠孔、３１  盤本体の右側端面（一端面）、
３６  センタ部品の筒状本体の左側面（センタ部品の外周における一側部）、
３７  センタ部品の筒状本体の上面（センタ部品の外周における上部）、
３８  センタ部品の筒状本体の下面（センタ部品の外周における下部）、
３９  凹部（挟持部）、４４  切欠孔の周囲、４４ａ  切欠孔の開放端部、
４５  切欠孔の終端面、８１  対向棒（対向部品）。
【図１】
2005224469.tif 000003
【図２】
2005224469.tif 000004
【図３】
2005224469.tif 000005
【図４】
2005224469.tif 000006
【図５】
2005224469.tif 000007
【図６】
2005224469.tif 000008
【図７】
2005224469.tif 000009
【図８】
2005224469.tif 000010
【図９】
2005224469.tif 000011
【図１０】
2005224469.tif 000012